(57)【特許請求の範囲】
【請求項１】
それぞれ外側一端を端子カバーに一体接続され、内側の他端どうしを橋絡片部によって相互に連結された略Ｕ字状の２個の弾性係合片部を有し、前記２個の弾性係合片部のそれぞれに逆止爪部が形成され、逆止爪部がそれぞれ機器筺体側に形成された係合用凹部に逆止係合することにより、機器筺体に固定されることを特徴とする電気機器の端子カバー。
【請求項２】
前記橋絡片部は上下逆転略Ｕ字状をなし、２個の弾性係合片部を含む全体で略Ｗ字状をなし、前記逆止爪部は２個の弾性係合片部のＵ字形状の折り曲がり端部に外向きに背中合わせで突出形成されていることを特徴とする請求項１に記載の電気機器の端子カバー。
【請求項３】
前記橋絡片部は扁平状をなし、前記逆止爪部は２個の弾性係合片部のＵ字形状の折り曲がり端部に内向きに互いに対向して突出形成されていることを特徴とする請求項１に記載の電気機器の端子カバー。
【請求項４】
前記逆止爪部が機器筺体側の係合用凹部との逆止係合より外れる方向への前記橋絡片部の変形・移動を選択的に拘束する拘束部を具備したロック手段を有していることを特徴とする請求項１〜３のいずれか一つに記載の電気機器の端子カバー。
【請求項５】
前記ロック手段は、前記拘束部と、上下逆転略Ｕ字状の橋絡片部の内側に取外工具が入り込むことを選択的に禁止するガード部とを具備したロックキャップであることを特徴とする請求項２に記載の電気機器の端子カバー。
【請求項６】
前記ロック手段は、電気機器の温度上昇に伴い前記拘束部による橋絡片部の拘束力を増加する要素を有していることを特徴とする請求項４または５に記載の電気機器の端子カバー。
【請求項７】
電気機器の温度上昇に伴い前記拘束部による橋絡片部の拘束力を増加する要素が、バイメタルまたは形状記憶合金であることを特徴とする請求項６に記載の電気機器の端子カバー。
【請求項８】
前記ロックキャップは、前記橋絡片部の変形・移動を拘束するロック位置と前記橋絡片部の変形・移動を許すアンロック位置との間に移動可能に設けられ、電気機器の温度上昇時には前記ロックキャップを前記ロック位置に拘束するロック手段を有していることを特徴とする請求項５〜７のいずれか一つに記載の電気機器の端子カバー。
【請求項９】
電気機器の温度上昇時には前記ロックキャップを前記ロック位置に拘束するロック手段はバイメタルまたは形状記憶合金で構成されていることを特徴とする請求項８に記載の電気機器の端子カバー。
【請求項１０】
ロック手段は扁平な橋絡片部がへこみ変形することを選択的に禁止するロック部材であることを特徴とする請求項３に記載の電気機器の端子カバー。
【請求項１１】
それぞれ外側一端を端子カバーに一体接続され、内側の他端どうしを橋絡片部によって相互に連結された略Ｕ字状の２個の弾性係合片部を有し、前記２個の弾性係合片部のそれぞれに磁石が取り付けられ、前記磁石がそれぞれ機器筺体側に取り付けられた磁石と磁気的に吸着することにより、機器筺体に固定されることを特徴とする電気機器の端子カバー。
【発明の詳細な説明】
【０００１】
【発明の属する技術分野】
この発明は、電磁接触器等の電気機器の端子板部分を覆蓋保護する端子カバーに関するものである。
【０００２】
【従来の技術】
図２２、図２３は、特開昭５９−１１４８９７号公報に示された従来の端子カバーを示している。これらの図において、１０は電磁接触器等の電気機器の筺体を、１２は筺体１０の外部に突出した各極の端子板を、１３は各端子板１２に取り付けた端子ねじを、１４は各極の端子板１２間を仕切る２枚の極間絶縁バリヤ板を、１６は端子カバーをそれぞれ示している。
【０００３】
端子カバー１６は、裏面（電気機器の側）に、２本の垂直柱体２２と、Ｕ字形状の弾性係止片２４とを有している。弾性係止片２４は一端を端子カバー１６に一体接続され、他端を開放された自由端２４ａとなっており、自由端２４ａ近傍の外側面に逆止爪部２６を有している。端子カバー１６にカバー上方より弾性係止片２４の自由端２４ａに対して取外用工具Ｔを差し込むための開口２８が形成されている。
【０００４】
端子カバー１６の取り付けは、図２２において矢印Ａ方向へ端子カバー１６を電気機器の筺体１０の上面１０ａの上方にセットした状態において、極間絶縁バリヤ板１４には、端子板１２に対して垂直な方向に案内溝２０が設けられており、垂下柱体２２をそれぞれ極間絶縁バリヤ板１４の側面に上下に形成された案内溝２０に差し込み係合させ、この差し込み係合状態で端子カバー１６を水平に押し下げる。端子カバー１６が筺体１０の上面１０ａと当接する位置まで押し下げられると、弾性係止片２４の自由端２４ａの近傍に設けられている逆止爪部２６が筺体１０の側面１０ｂに形成されている係合用凹部３０に逆止係合する。これにより、端子カバー１６は筺体１０の上面１０ａ上に覆いかぶさった状態で筺体１０に固定される。
【０００５】
端子カバー１６を取り外す場合には、開口２８より取外用工具Ｔを弾性係止片２４の自由端２４ａと筺体１０の側面１０ｂとの間に差し込み、自由端２４ａを図２３の矢印Ｂ方向に弾性変形させて逆止爪部２６を係合用凹部３０より抜き出し、逆止爪部２６と係合用凹部３０との逆止係合関係を解放した状態で端子カバー１６を上方に持ち上げて筺体１０より外す。
【０００６】
【発明が解決しようとする課題】
上述のような従来の端子カバーでは、端子カバー取付け状態において、逆止爪部２６は係合用凹部３０に一方から押圧係合しているだけであるため、電気機器に振動や衝撃が加わる悪環境下では、逆止爪部２６の係合用凹部３０に対する一方向からの押圧係合に対して逆方向の力が加わると、逆止爪部２６が係合用凹部３０から離脱する、あるいは逆方向の力が加わる毎に逆止爪部２６が係合用凹部３０内で変位し、逆止爪部２６と係合用凹部３０との接触面が摩耗あるいは消滅し、逆止爪部２６と係合用凹部３０との逆止係合が不安定になったり、その逆止係合が行われなくなる虞れがあり、端子カバーの取り付けの確実性、耐久性に関して問題がある。
【０００７】
また、従来の端子カバーでは、電気機器が、例えば電磁接触器などの場合には、係合用凹部３０は電磁接触器筺体の壁面に設けられ、この壁面近傍は電流遮断を実施するアークボックスの壁面に対応する場合がある。アークボックスの壁面の内部は高温高圧のアークが発生する部分に近接するため、電磁接触器の運転時には係合用凹部３０の部分が高温の状態となり、このような悪環境下では、係合用凹部３０に係合している逆止爪部２６も高温状態に曝されることになる。このため、逆止爪部２６が熱変形、溶解等の熱損を生じ、逆止爪部２６が係合用凹部３０より離脱、あるいは係合用凹部３０に固着および凝着し、電気機器から端子カバー１６を取り外すことが不可能になる虞れがある。
【０００８】
この発明は、上述の如き問題点を解消するためになされたものであり、振動、衝撃を受ける悪条件下での使用でも、取り付けの確実性、耐久性に優れ、また、電磁接触器等の使用でも熱損を受けることがなく、耐久性、安全性に優れた電気機器の端子カバーを得ることを目的としている。
【０００９】
【課題を解決するための手段】
上述の目的を達成するために、この発明による電気機器の端子カバーは、それぞれ外側一端を端子カバーに一体接続され、内側の他端どうしを橋絡片部によって相互に連結された略Ｕ字状の２個の弾性係合片部を有し、前記２個の弾性係合片部のそれぞれに逆止爪部が形成され、逆止爪部がそれぞれ機器筺体側に形成された係合用凹部に逆止係合することにより、機器筺体に固定されるものである。
【００１０】
つぎの発明による電気機器の端子カバーは、前記橋絡片部が上下逆転略Ｕ字状をなし、２個の弾性係合片部を含む全体で略Ｗ字状をなし、前記逆止爪部は２個の弾性係合片部のＵ字形状の折り曲がり端部に外向きに背中合わせで突出形成されているものである。
【００１１】
つぎの発明による電気機器の端子カバーは、前記橋絡片部が扁平状をなし、前記逆止爪部は２個の弾性係合片部のＵ字形状の折り曲がり端部に内向きに互いに対向して突出形成されているものである。
【００１２】
つぎの発明による電気機器の端子カバーは、前記逆止爪部が機器筺体側の係合用凹部との逆止係合より外れる方向への前記橋絡片部の変形・移動を選択的に拘束する拘束部を具備したロック手段を有しているものである。
【００１３】
つぎの発明による電気機器の端子カバーは、前記ロック手段が、前記拘束部と、上下逆転略Ｕ字状の橋絡片部の内側に取外工具が入り込むことを選択的に禁止するガード部とを具備したロックキャップである。
【００１４】
つぎの発明による電気機器の端子カバーは、前記ロック手段が、電気機器の温度上昇に伴い前記拘束部による橋絡片部の拘束力を増加する要素を有しているものである。
【００１５】
つぎの発明による電気機器の端子カバーは、電気機器の温度上昇に伴い前記拘束部による橋絡片部の拘束力を増加する要素が、バイメタルまたは形状記憶合金である。
【００１６】
つぎの発明による電気機器の端子カバーは、前記ロックキャップが、前記橋絡片部の変形・移動を拘束するロック位置と前記橋絡片部の変形・移動を許すアンロック位置との間に移動可能に設けられ、電気機器の温度上昇時には前記ロックキャップを前記ロック位置に拘束するロック手段を有しているものである。
【００１７】
つぎの発明による電気機器の端子カバーは、電気機器の温度上昇時には前記ロックキャップを前記ロック位置に拘束するロック手段はバイメタルまたは形状記憶合金で構成されているものである。
【００１８】
つぎの発明による電気機器の端子カバーは、ロック手段は扁平な橋絡片部がへこみ変形することを選択的に禁止するロック部材である。
【００１９】
つぎの発明による電気機器の端子カバーは、それぞれ外側一端を端子カバーに一体接続され、内側の他端どうしを橋絡片部によって相互に連結された略Ｕ字状の２個の弾性係合片部を有し、前記２個の弾性係合片部のそれぞれに磁石が取り付けられ、前記磁石がそれぞれ機器筺体側に取り付けられた磁石と磁気的に吸着するものである。
【００２０】
【発明の実施の形態】
以下に添付の図を参照して、この発明に係る電気機器の端子カバーの実施の形態を詳細に説明する。なお、以下に説明するこの発明の実施の形態において上述の従来例と同一構成の部分は、上述の従来例に付した符号と同一の符号を付して、その説明を省略する。
【００２１】
実施の形態１．
図１〜図１５は、この発明による電気機器の端子カバーの実施の形態１を示している。これらの図において、５０はこの発明による端子カバーを総括的に示している。端子カバー５０は、全体を電気絶縁性のプラスチックスにより構成され、電気機器の筺体（機器筺体）１０の両側面部１０ｃに上下に形成された案内溝３１に抜き差し可能に係合する垂下柱体５１を一体に有している。
【００２２】
端子カバー５０の裏面（下底面）には略Ｗ字状の弾性係止部５２が一体成形されている。弾性係止部５２は、略Ｕ字状の２個の弾性係合片部５２ａ、５２ｂを連結したものであり、弾性係合片部５２ａ、５２ｂはそれぞれ外側端部を端子カバー５０に一体接続され、内側の他端どうしを上下逆転略Ｕ字状の橋絡片部５２ｃによって相互に連結された形態をなしている。弾性係合片部５２ａ、５２ｂのそれぞれのＵ字形状の折り曲がり端部には逆止爪部５３ａ、５３ｂがそれぞれ外向きに背中合わせで突出形成されている。逆止爪部５３ａ、５３ｂは２枚の極間絶縁バリヤ板１４の相対向する内側面に水平に形成された係合用凹部１５に逆止係合する。
【００２３】
また、端子カバー５０には取外工具Ｔを上下逆転略Ｕ字状の橋絡片部５２ｃの内側に入れ込むための工具入れ込み溝５４が形成されている。この端子カバー５０の取り付けは、端子カバー５０を機器筺体１０の上方に配置し、垂下柱体５１を機器筺体１０の両側面部１０ｃに形成された案内溝３１に係合させ、端子カバー５０全体を押し下げて垂下柱体５１を案内溝３１に沿ってスライドさせる。
【００２４】
端子カバー５０が機器筺体１０の上面に接合する正規の取付位置にまで押し下げられると、弾性係合片部５２ａ、５２ｂの逆止爪部５３ａ、５３ｂがそれぞれ極間絶縁バリヤ板１４に形成されている係合用凹部１５に逆止係合する。この逆止係合により、端子カバー５０は機器筺体１０に固定される。
【００２５】
一対の略Ｕ字形状の弾性係合片部５２ａ、５２ｂはそれぞれ、一端を端子カバー５０に固定接続され、他端どうしを橋絡片部５２ｃによって相互に連結されていることから、弾性係合片部５２ａ、５２ｂが少しくらいの外力によって、ふらつくことはなく、逆止爪部５３ａ、５３ｂと係合用凹部１５との逆止係合が比較的強固に行われる。
【００２６】
図５に示されているように、橋絡片部５２ｃを上方に変位させる操作により、逆止爪部５３ａ、５３ｂを係合用凹部１５より引き離し、逆止爪部５３ａ、５３ｂと係合用凹部１５との逆止係合を解除することができる。
【００２７】
橋絡片部５２ｃを上方に変位させることは、工具入れ込み溝５４より棒状の取外工具Ｔを橋絡片部５２ｃの内側に入れ込み、取外工具Ｔを梃子棒のように操作することにより行うことができ、橋絡片部５２ｃを図５の矢印Ａの方向へ移動・変形させることにより、逆止爪部５３ａ、５３ｂを互いに接近する方向に変位させて逆止爪部５３ａ、５３ｂを係合用凹部１５との逆止係合より離脱させることで、端子カバー５０を機器筺体１０より取り外すことができる。逆に、逆止爪部５３ａ、５３ｂと係合用凹部１５との逆止係合を強固にするためには、橋絡片部５２ｃの移動を拘束して変形しないようにすればよく、これにより、機器筺体１０と端子カバー５０との係合が確実に保持されることになる。
【００２８】
弾性係止部５２の橋絡片部５２ｃの移動を拘束して変形しないようにするロック機構として、端子カバー５０にはロックキャップ６０が設けられている。端子カバー５０の弾性係止部５２が配置されている開口５５の両側縁部には突条５６が形成され、ロックキャップ６０の両側面部には抜け止め突起６１とスライドガイド片６２とが突出形成されており、抜け止め突起６１とスライドガイド片６２とで突条５６を上下に挟み込みにより、ロックキャップ６０は図２〜図８で見て左右方向にスライド可能に端子カバー５０に係合している。
【００２９】
ロックキャップ６０の取り付けは、各抜け止め突起６１を開口５５の拡張部５７に整合させた状態で押し込むことにより行われる。抜け止め突起６１の一つ６１’と、これと整合する拡張部５７’は他のものより大きくなっており、この組合せによって誤組み付けが行われないようにしている。
【００３０】
ロックキャップ６０は、図２〜図５に示されているように、端子カバー５０の上面に付けられた指示マークＭがロックキャップ６０の上面に記された“ＵＮＬＯＣＫ”を指すアンロック位置と、図６〜図８に示されているように、端子カバー５０の上面に付けられた指示マークＭがロックキャップ６０の上面に記された“ＬＯＣＫ”を指すロック位置との間にスライド可能になっている。
【００３１】
ロックキャップ６０は、アンロック位置にて工具入れ込み溝５４と整合して工具入れ込み溝５４を開放状態にする開口部６３と、ロック位置にて工具入れ込み溝５４と整合して工具入れ込み溝５４を閉塞状態にするガード部６４と、ロック位置にて弾性係止部５２の橋絡片部５２ｃと補形係合する拘束部６５とを有している。
【００３２】
ロックキャップ６０が、図２〜図５に示されているようなアンロック位置に位置している場合には、ガード部６４が工具入れ込み溝５４より右側にずれ、拘束部６５が橋絡片部５２ｃとの補形係合により離脱し、開口部６３が工具入れ込み溝５４に整合しているので、工具入れ込み溝５４および橋絡片部５２ｃの拘束が開放されるから、上述したように、また図５に示されているように、工具入れ込み溝５４より棒状の取外工具Ｔを橋絡片部５２ｃの内側に入れ込み、取外工具Ｔを梃子棒のように操作して橋絡片部５２ｃを図５の矢印Ａの方向へ移動・変形させることにより、逆止爪部５３ａ、５３ｂを互いに接近する方向に変位させて逆止爪部５３ａ、５３ｂを係合用凹部１５との逆止係合より離脱させることで、ロックキャップ６０ごと端子カバー５０を機器筺体１０より取り外すことができる。
【００３３】
橋絡片部５２ｃの移動を拘束して変形しないようにして端子カバー５０が無闇に取りされることを禁止するタンパプルーフ状態にする場合には、アンロック位置にあるロックキャップ６０を図にて左側にスライドさせてロックキャップ６０を図６〜図８に示されているようなロック位置に位置させる。
【００３４】
ロックキャップ６０がロック位置に位置すると、開口部６３が工具入れ込み溝５４より左側にずれると共に、ガード部６４が工具入れ込み溝５４に整合し、工具入れ込み溝５４が閉塞される。これにより取外工具Ｔを橋絡片部５２ｃの内側に入れ込むことができなくなる。
【００３５】
また、拘束部６５が橋絡片部５２ｃと補形係合し、橋絡片部５２ｃの上方への変位、すなわち逆止爪部５３ａ、５３ｂが係合用凹部１５との逆止係合より離脱する方向の変位を拘束される。
【００３６】
これにより、ロックキャップ６０がロック位置に位置している状態下では、逆止爪部５３ａ、５３ｂと係合用凹部１５との逆止係合が確実に維持され、端子カバー５０が不用意に機器筺体１０より外れることがない。
【００３７】
実施の形態２．
図１６は、この発明による電気機器の端子カバーの実施の形態２を示している。なお、図１６において、図１〜図１５に対応する部分は、図１〜図１５にに付した符号と同一の符号を付けて、その説明を省略する。
【００３８】
この実施の形態では、橋絡片部５２ｃの変形・移動を拘束する手段に、電気機器の温度上昇に伴って拘束力を増加する要素が付加されている。すなわち、拘束部６５は熱膨張係数の異なる金属を接着して構成されているバイメタル６６を介してロックキャップ６０に装着されている。バイメタル６６は温度上昇により、下方への湾曲突出量を増加し、拘束部６５を橋絡片部５２ｃに押し付ける力を増大する。
【００３９】
一般に、電気機器の実使用状態においては、電気機器の温度上昇が付随するものであり、この温度上昇をバイメタル６６の湾曲特性に利用し、ロック時において、電気機器の運転時における温度上昇に伴い、バイメタル６６の温度が上昇してバイメタル６６の下方への湾曲突出量を増加することにより、拘束部６５を橋絡片部５２ｃに押し付ける力が増大し、逆止爪部５３ａ、５３ｂが係合用凹部１５との係合より外れない方向（下方）へ橋絡片部５２ｃが押され、逆止爪部５３ａ、５３ｂと係合用凹部１５との逆止係合がより一層強固なものになる。
【００４０】
これにより、高温時においても、端子カバー５０の取付強度が充分に保たれる。なお、バイメタル６６は温度上昇に伴い拘束部６５を下方へ変位させるように変形する形状記憶合金に置き換えることが可能である。
【００４１】
実施の形態３．
図１７、図１８はこの発明による電気機器の端子カバーの実施の形態３を示している。なお、図１７、図１８においても、図１〜図１５に対応する部分は、図１〜図１５に付した符号と同一の符号を付けて、その説明を省略する。
【００４２】
この実施の形態では、高温時にロックキャップ６０をロック位置にロックするロック機構がロックキャップ６０が組み込まれている。このロック機構は、ロックキャップ６０がロック位置に位置している状態下で端子カバー５０に形成されたロック孔５８に選択的に係合してロックキャップ６０をロック位置に拘束するロックピン６７と、ロックキャップ６０に係止されてロックピン６７を担持したバイメタル６８とにより構成されている。バイメタル６８は温度上昇により、下方への湾曲突出量を増加し、ロックピン６７をロック孔５８に係合させる。
【００４３】
これにより、機器温度が所定値以上なる電気機器の運転中は、バイメタル６８の変形によってロックピン６７がロック孔５８に係合し、ロックキャップ６０がスライド不可能になり、ロック位置に拘束される。従って、電気機器の運転中は、端子カバー５０の取り外しが禁止される。なお、バイメタル６８は温度上昇に伴いロックピン６７を下方へ変位させるように変形する形状記憶合金に置き換えることが可能である。
【００４４】
実施の形態４．
図１９は、この発明による電気機器の端子カバーの実施の形態４を示している。なお、図１９において、図１〜図１５に対応する部分は、図１〜図１５に付した符号と同一の符号を付けて、その説明を省略する。
【００４５】
この実施の形態では、弾性係合片部５２ａ、５２ｂのそれぞれのＵ字形状の折り曲がり端部に、逆止爪部５３ａ、５３ｂに代えて磁石５９ａ、５９ｂが取り付けられており、極間絶縁バリヤ板１４には磁石５９ａ、５９ｂと磁気的に吸着する磁石８０が取り付けられている。この実施の形態では、端子カバー５０が正規の取付位置に位置すると、磁石５９ａ、５９ｂのＮ極、Ｓ極が磁石８０のＳ極、Ｎ極と対向し、磁気的吸着力によって端子カバー５０が機器筺体１０に固定される。
【００４６】
これにより、実施の形態１における場合と同様に、機器筺体１０と端子カバー５０との係合が確実に保持されることになる。
【００４７】
実施の形態５．
図２０、図２１は、この発明による電気機器の端子カバーの実施の形態５を示している。なお、図２０、図２１においても、図１〜図１５に対応する部分は、図１〜図１５に付した符号と同一の符号を付けて、その説明を省略する。
【００４８】
この実施の形態では、弾性係合片部５２ａ、５２ｂはそれぞれ外側端部を端子カバー５０に一体接続され、内側の他端どうしを比較的大きい面を有する扁平な橋絡片部５２ｃによって相互に連結された形態をなしている。弾性係合片部５２ａ、５２ｂのそれぞれのＵ字形状の折り曲がり端部には逆止爪部５３ａ、５３ｂがそれぞれ内向きに相対向して突出形成されている。
【００４９】
逆止爪部５３ａ、５３ｂは２枚の極間絶縁バリヤ板１４の相対向する外側面に水平に形成された係合用凹部１５に逆止係合する。この逆止係合により端子カバー５０は機器筺体１０に固定される。端子カバー５０の取り外しは、扁平な橋絡片部５２ｃを下方に押圧して橋絡片部５２ｃを凹ませることにより、弾性係合片部５２ａ、５２ｂを傾斜させ、逆止爪部５３ａ、５３ｂを係合用凹部１５との係合に離脱させることにより行う。
【００５０】
端子カバー５０にはロック部材７０が回転可能に取り付けられている。ロック部材７０は、回転操作のための摘み部７１と、橋絡片部５２ｃの裏面に回り込んで橋絡片部５２ｃのへこみ変形を禁止する拘束片７２とを有している。
【００５１】
端子カバー５０が破線により示されているようなアンロック位置に位置している場合には、拘束片７２が橋絡片部５２ｃより離れて位置にあることにより、橋絡片部５２ｃのへこみ変形が禁止されないが、端子カバー５０が図２１にて実線により示されているようなロック位置に位置すると、拘束片７２が橋絡片部５２ｃの裏面に回り込んで橋絡片部５２ｃのへこみ変形を禁止する。
【００５２】
これにより、実施の形態１における場合と同様に、端子カバー５０が不用意に機器筺体１０より外れることがない。
【００５３】
【発明の効果】
以上の説明から理解される如く、この発明による電気機器の端子カバーによれば、それぞれ外側一端を端子カバーに一体接続され、内側の他端どうしを橋絡片部によって相互に連結された略Ｕ字状の２個の弾性係合片部を有し、２個の弾性係合片部のそれぞれに形成された逆止爪部がそれぞれ機器筺体側に形成された係合用凹部に逆止係合することにより、端子カバーが機器筺体に固定されるから、弾性係合片部が少しの外力によっては、ふら付くことはなく、逆止爪部と係合用凹部との逆止係合が比較的強固に行われ、端子カバーの取り付けが確実に行われる。また、橋絡片部の変位操作により、逆止爪部と係合用凹部との逆止係合を的確に解除することができる。
【００５４】
つぎの発明による電気機器の端子カバーによれば、橋絡片部が上下逆転略Ｕ字状をなし、２個の弾性係合片部を含む全体で略Ｗ字状をなし、前記逆止爪部は２個の弾性係合片部のＵ字形状の折り曲がり端部に外向きに背中合わせで突出形成され、その逆止爪部がそれぞれ機器筺体側に形成された係合用凹部に逆止係合することにより、端子カバーが機器筺体に固定されるから、弾性係合片部が少しの外力によっては、ふら付くことはなく、逆止爪部と係合用凹部との逆止係合が比較的強固に行われ、端子カバーの取り付けが確実に行われる。また、橋絡片部の変位操作により、逆止爪部と係合用凹部との逆止係合を的確に解除することができる。
【００５５】
つぎの発明による電気機器の端子カバーによれば、橋絡片部が扁平状をなし、逆止爪部は２個の弾性係合片部のＵ字形状の折り曲がり端部に内向きに互いに対向して突出形成され、その逆止爪部がそれぞれ機器筺体側に形成された係合用凹部に逆止係合することにより、端子カバーが機器筺体に固定されるから、弾性係合片部が少しの外力によっては、ふら付くことはなく、逆止爪部と係合用凹部との逆止係合が比較的強固に行われ、端子カバーの取り付けが確実に行われる。また、この場合も、橋絡片部の変位操作により、逆止爪部と係合用凹部との逆止係合を的確に解除することができる。
【００５６】
つぎの発明による電気機器の端子カバーによれば、ロック手段の拘束部によって逆止爪部が機器筺体側の係合用凹部との逆止係合より外れる方向への橋絡片部の変形・移動が選択的に拘束されるから、振動、衝撃を受ける悪条件下での使用でも、電気機器に対する端子カバーの取り付けの確実性、耐久性が得られる。
【００５７】
つぎの発明による電気機器の端子カバーによれば、ロック手段のガード部によって橋絡片部の内側に取外工具が入り込むことが選択的に禁止されるから、タンパプルーフが行われ、無闇に端子カバーが取り外されることを防止できる。
【００５８】
つぎの発明による電気機器の端子カバーによれば、電気機器の温度上昇に伴い拘束部による橋絡片部の拘束力が増加するから、温度上昇に伴い電気機器の端子カバーの固定が強固になり、電気機器の運転時に端子カバーが電気機器からより一層外れ難くなる。
【００５９】
つぎの発明による電気機器の端子カバーは、電気機器の温度上昇に伴いバイメタルまたは形状記憶合金が変形して拘束部による橋絡片部の拘束力が増加するから、温度上昇に伴い電気機器の端子カバーの固定が強固になり、電気機器の運転時に端子カバーが電気機器からより一層外れ難くなる。
【００６０】
つぎの発明による電気機器の端子カバーによれば、電気機器の温度上昇時にはロックキャップがロック位置に拘束されるので、電気機器の運転時に端子カバーを外すことが防止される。
【００６１】
つぎの発明による電気機器の端子カバーによれば、電気機器の温度上昇時にはバイメタルまたは形状記憶合金によってロックキャップがロック位置に拘束されるから、電気機器の運転時に端子カバーを外すことが防止される。
【００６２】
つぎの発明による電気機器の端子カバーによれば、ロック部材によって扁平な橋絡片部がへこみ変形することを選択的に禁止されるから、タンパプルーフが行われ、無闇に端子カバーが取り外されることを防止できる。
【００６３】
つぎの発明による電気機器の端子カバーによれば、それぞれ外側一端を端子カバーに一体接続され、内側の他端どうしを橋絡片部によって相互に連結された略Ｕ字状の２個の弾性係合片部を有し、２個の弾性係合片部のそれぞれに取り付けられた磁石がそれぞれ機器筺体側に取り付けられた磁石と磁気的に吸着するから、弾性係合片部が少しの外力によっては、ふら付くことはなく、磁石どうしの磁気的吸着が比較的強固に行われ、端子カバーの取り付けが確実に行われる。
【図面の簡単な説明】
【図１】この発明による電気機器の端子カバーの実施の形態１を示す分解斜視図であり、（ａ）が端子カバーを示す説明図、（ｂ）が機器筐体を示す説明図である。
【図２】実施の形態１をアンロック状態について示す平面図である。
【図３】実施の形態１をアンロック状態について示す図２のＡ−Ａ断面図である。
【図４】実施の形態１をアンロック状態について示す図２のＢ−Ｂ断面図である。
【図５】実施の形態１を取り外し状態について示す図２のＡ−Ａ断面図である。
【図６】実施の形態１をロック状態について示す平面図である。
【図７】実施の形態１をロック状態について示す図６のＡ−Ａ断面図である。
【図８】実施の形態１をロック状態について示す図６のＢ−Ｂ断面図である。
【図９】実施の形態１のロックキャップ取り外し状態での平面図である。
【図１０】図９のＡ−Ａ断面図である。
【図１１】ロックキャップの左側面図である。
【図１２】ロックキャップの平面図である
【図１３】ロックキャップの右側面図である。
【図１４】ロックキャップの下底面図である。
【図１５】図１２のＣ−Ｃ断面図である。
【図１６】この発明による電気機器の端子カバーの実施の形態２を示す要部の断面図である。
【図１７】この発明による電気機器の端子カバーの実施の形態３を示す要部の断面図である。
【図１８】図１７のＤ−Ｄ断面図である。
【図１９】この発明による電気機器の端子カバーの実施の形態４を示す要部の断面図である。
【図２０】この発明による電気機器の端子カバーの実施の形態５を示す要部の断面図である。
【図２１】図２０のＥ−Ｅ断面図である。
【図２２】従来における端子カバーおよびその取付け構造を示す斜視図である。
【図２３】従来における端子カバーおよびその取付け構造を示す説明図である。
【符号の説明】
１０  電気機器の筺体、１４  極間絶縁バリヤ板、１５  係合用凹部、５０  端子カバー、５１  垂下柱体、５２  弾性係止部、５２ａ，５２ｂ  弾性係合片部、５２ｃ  橋絡片部、５３ａ，５３ｂ  逆止爪部、５４  工具入れ込み溝、５８  ロック孔、５９ａ，５９ｂ  磁石、６０  ロックキャップ、６１  開口部、６３  ガード部、６５  拘束部、６６  バイメタル、６７  ロックピン、６８  バイメタル、７０  ロック部材、７２  拘束片、８０  磁石。
【図１】
0003618544.tif 000002
【図２】
0003618544.tif 000003
【図３】
0003618544.tif 000004
【図４】
0003618544.tif 000005
【図５】
0003618544.tif 000006
【図６】
0003618544.tif 000007
【図７】
0003618544.tif 000008
【図８】
0003618544.tif 000009
【図９】
0003618544.tif 000010
【図１０】
0003618544.tif 000011
【図１１】
0003618544.tif 000012
【図１２】
0003618544.tif 000013
【図１３】
0003618544.tif 000014
【図１４】
0003618544.tif 000015
【図１５】
0003618544.tif 000016
【図１６】
0003618544.tif 000017
【図１７】
0003618544.tif 000018
【図１８】
0003618544.tif 000019
【図１９】
0003618544.tif 000020
【図２０】
0003618544.tif 000021
【図２１】
0003618544.tif 000022
【図２２】
0003618544.tif 000023
【図２３】
0003618544.tif 000024